(57)【要約】【課題】ホームゲートウェイ及びセッション制御サーバによって異なる経路の複数のセッションを確立する方法及びシステムを提供する。【解決手段】セッション制御サーバは、セッション確立要求におけるメディア種別に応じて、第１のアクセスゲートウェイ及び第２のアクセスゲートウェイの間でコアネットワークを介して接続する第１のセッションと、第１のホームゲートウェイ及び第２のホームゲートウェイの間で非コアネットワークを介して接続する第２のセッションとを確立することを決定すると共に、セッション確立要求を、第２のアクセスゲートウェイを介して第２のホームゲートウェイへ送信する。これにより、ＱｏＳ保証を必要とするメディア種別のトラヒックはアクセスゲートウェイＡＧＷを経由して通信させ、ＱｏＳ保証を必要としないメディア種別のトラヒックはホームゲートウェイＨＧＷ間で直接的に通信させる。【選択図】図２
2010200068.tif 000002
【特許請求の範囲】
【請求項１】
コアネットワークに接続されたセッション制御サーバと、
前記コアネットワークとアクセスネットワークとの間に接続される１つ以上のアクセスゲートウェイと、
前記アクセスネットワークと第１のホームネットワークとの間に接続される第１のホームゲートウェイと、
第１のホームネットワークに接続される第１の端末と、
前記アクセスネットワークと第２のホームネットワークとの間に接続される第２のホームゲートウェイと、
第２のホームネットワークに接続される第２の端末と
を有し、
第１のホームゲートウェイ及び第２のホームゲートウェイが、前記アクセスネットワークを介して非コアネットワークを経由して相互接続されたシステムにおけるセッション確立方法であって、
第１のホームゲートウェイが、第１の端末から受信したセッション確立要求を、前記アクセスゲートウェイを介して前記セッション制御サーバへ送信する第１のステップと、
前記セッション制御サーバが、前記セッション確立要求におけるメディア種別に応じて、前記アクセスゲートウェイを介して前記コアネットワークを経由して接続する第１のセッションと、前記非コアネットワークを経由して接続する第２のセッションとを確立することを決定し、前記セッション確立要求を、前記アクセスゲートウェイを介して第２のホームゲートウェイへ送信する第２のステップと、
第２のホームゲートウェイが、前記セッション確立要求を第２の端末へ送信する第３のステップと、
第２のホームゲートウェイが、第２の端末から受信したセッション確立応答を、前記アクセスゲートウェイを介して前記セッション制御サーバへ送信する第４のステップと、
前記セッション制御サーバが、第１のセッションを確立すべきゲート制御要求を、前記アクセスゲートウェイへ送信し、該アクセスゲートウェイが経路制御テーブルを更新する第５のステップと、
前記セッション制御サーバが、第２のセッションを確立すべきゲート制御要求を、第２のホームゲートウェイへ送信し、第２のホームゲートウェイが経路制御テーブルを更新する第６のステップと、
前記セッション制御サーバが、第２のセッションを確立すべきゲート制御要求を、第１のホームゲートウェイへ送信する第７のステップと、
前記セッション制御サーバが、前記セッション確立応答を、前記アクセスゲートウェイを介して第１のホームゲートウェイへ送信する第８のステップと、
第１のホームゲートウェイが、第２のセッションについて経路制御テーブルを更新し、前記セッション確立応答を、第１の端末へ送信する第９のステップと
を有することを特徴とするセッション確立方法。
【請求項２】
前記コアネットワークは、ＩＰｖ６ネットワークであり、
前記非コアネットワークは、ＩＰｖ４ネットワークであり、
第１のステップについて、
第１のホームゲートウェイが送信する前記セッション確立要求は、第１のアクセスゲートウェイから付与されたＩＰｖ６ネットワークプレフィクスと、第１のホームゲートウェイの外部インタフェースに付与されたＩＰｖ４アドレスとの論理和にからなるＩＰｖ６アドレスを、ＳＤＰ(Specification Description Protocol)のメディア部に含むことを特徴とする請求項１に記載のセッション確立方法。
【請求項３】
第１のステップについて、第１のホームゲートウェイが送信する前記セッション確立要求は、ＳＤＰに「情報交換」用のメディア部を追加して含んでおり、
第１のホームゲートウェイと第２のホームゲートウェイとの間に確立された「情報交換」用メディアのセッションを介して、第２のホームゲートウェイの外部インタフェースに付与されたアドレスを、第１のホームゲートウェイへ送信する第１０のステップを更に有することを特徴とする請求項１に記載のセッション確立方法。
【請求項４】
前記非コアネットワークを介して接続される第１のホームゲートウェイと第２のホームゲートウェイとの間の第２のセッションを、ＩＰｓｅｃによりセキュア化する第１１のステップを更に有することを特徴とする請求項３に記載のセッション確立方法。
【請求項５】
前記メディア種別は、セッションにおけるフロー種別、確立時刻、又は、発信元端末及び着信元端末のドメイン若しくは加入サービス種別であることを特徴とする請求項１から４のいずれか１項に記載のセッション確立方法。
【請求項６】
コアネットワークに接続されたセッション制御サーバと、
前記コアネットワークとアクセスネットワークとの間に接続される１つ以上のアクセスゲートウェイと、
前記アクセスネットワークと第１のホームネットワークとの間に接続される第１のホームゲートウェイと、
第１のホームネットワークに接続される第１の端末と、
前記アクセスネットワークと第２のホームネットワークとの間に接続される第２のホームゲートウェイと、
第２のホームネットワークに接続される第２の端末と
を有し、
第１のホームゲートウェイ及び第２のホームゲートウェイが、前記アクセスネットワークを介して非コアネットワークを経由して相互接続されたシステムであって、
前記セッション制御サーバは、
第１のホームゲートウェイから受信した前記セッション確立要求におけるメディア種別に応じて、前記アクセスゲートウェイを介して前記コアネットワークを経由して接続する第１のセッションと、前記非コアネットワークを経由して接続する第２のセッションとを確立することを決定する経路決定手段と、
第１のホームゲートウェイから受信した前記セッション確立要求を、前記アクセスゲートウェイを介して第２のホームゲートウェイへ送信し、第２のホームゲートウェイから受信したセッション確立応答を、前記アクセスゲートウェイを介して第１のホームゲートウェイへ送信するセッション制御手段と、
第１のセッションを確立すべきゲート制御要求を、前記アクセスゲートウェイへ送信し、第２のセッションを確立すべきゲート制御要求を、第２のホームゲートウェイ及び第１のホームゲートウェイへ送信するゲート制御手段と
を有し、
第１のホームゲートウェイは、
第１の端末から受信したセッション確立要求を、前記アクセスゲートウェイを介して前記セッション制御サーバへ送信するセッション確立要求送信手段と、
前記セッション制御サーバから前記アクセスゲートウェイを介してセッション確立応答を受信した際に、第２のセッションについて経路制御テーブルを更新し、前記セッション確立応答を第１の端末へ送信するセッション確立応答受信手段と
を有し、
第２のホームゲートウェイは、
前記セッション制御サーバから前記アクセスゲートウェイを介して受信したセッション確立要求を、第２の端末へ送信するセッション確立要求受信手段と、
第２の端末から受信したセッション確立応答を受信した際に、第２のセッションについて経路制御テーブルを更新し、前記セッション確立応答を前記アクセスゲートウェイを介して前記セッション制御サーバへ送信するセッション確立応答送信手段と
を有することを特徴とするシステム。
【請求項７】
前記コアネットワークは、ＩＰｖ６ネットワークであり、
前記非コアネットワークは、ＩＰｖ４ネットワークであり、
第１のホームゲートウェイのセッション確立要求送信手段は、送信する前記セッション確立要求に、第１のアクセスゲートウェイから付与されたＩＰｖ６ネットワークプレフィクスと、第１のホームゲートウェイの外部インタフェースに付与されたＩＰｖ４アドレスとの論理和にからなるＩＰｖ６アドレスを、ＳＤＰのセッション全体部に含むことを特徴とする請求項６に記載のシステム。
【請求項８】
第１のホームゲートウェイのセッション確立要求送信手段は、第１のホームゲートウェイが送信する前記セッション確立要求に、ＳＤＰに「情報交換」用のメディア部を追加して含め、
第１のホームゲートウェイ及び第２のホームゲートウェイは、確立された「情報交換」用メディアのセッションを介して、外部インタフェースに付与されたアドレスを相互に交換するセキュアパス通信手段を更に有することを特徴とする請求項６に記載のシステム。
【請求項９】
前記セキュアパス通信手段は、前記非コアネットワークを介して接続される第１のホームゲートウェイと前記ホームゲートウェイ２との間の第２のセッションを、ＩＰｓｅｃによりセキュア化することを特徴とする請求項７又は８に記載のシステム。
【請求項１０】
前記メディア種別は、セッションにおけるフロー種別、確立時刻、又は、発信元端末及び着信元端末のドメイン若しくは加入サービス種別であることを特徴とする請求項６から９のいずれか１項に記載のシステム。
【発明の詳細な説明】
【技術分野】
【０００１】
本発明は、ＮＧＮ(Next Generation Network)コアネットワークに接続可能なホームゲートウェイにおけるセッション確立方法及びシステムに関する。
【背景技術】
【０００２】
ＮＧＮコアネットワークは、次世代のマネージドネットワークとしてＩＴＵ−Ｔ(International Telecommunication Union - Telecommunication standardization sector)によって標準化されている。ＮＧＮコアネットワークは、その経路のＱｏＳ(Quality of Service)を保証するために、リアルタイム性を要求するアプリケーション（例えば音声又は映像のストリーミング）のサービスに適する。ＮＧＮコアネットワークにおけるセッションは、ＳＩＰ(Session Initiation Protocol)に基づいて制御される。
【０００３】
図１は、ホームネットワークとＮＧＮコアネットワークとが接続されたシステム構成図である。
【０００４】
図１によれば、ＮＧＮコアネットワーク(ＩＰｖ６ネットワーク）にセッション制御サーバが接続されている。セッション制御サーバは、ＣＳＣＦ(Call Session Control Function)／ＨＳＳ(Home Subscriber Server)及び１つ以上のＰＣＲＦ(Policy and Charging Rules Function)から構成される。セッション制御サーバ１０は、ＳＩＰに基づいてセッションを制御し、アクセスゲートウェイに対してゲート制御を指示する。
【０００５】
ＮＧＮコアネットワークと第１のアクセスネットワークとの間には第１のアクセスゲートウェイＡＧＷ１が接続され、第１のアクセスネットワークと第１のホームネットワークとの間には第１のホームゲートウェイＨＧＷ１が接続され、第１のホームネットワークには第１の端末ＵＥ１が接続されている。また、ＮＧＮコアネットワークと第２のアクセスネットワークとの間には第２のアクセスゲートウェイＡＧＷ２が接続され、第２のアクセスネットワークと第２のホームネットワークとの間には第２のホームゲートウェイＡＧＷ２が接続され、第２のホームネットワークには第２の端末ＵＥ２が接続されている。更に、第１のアクセスネットワーク及び第２のアクセスネットワークは、非コアネットワーク（ＩＰｖ４ネットワーク）を介して相互接続されている。
【０００６】
図１によれば、ホームゲートウェイＨＧＷは、アクセスネットワークから付与された外部接続用のＩＰアドレスを有する。ホームゲートウェイＨＧＷは、端末ＵＥからホームネットワークを介してセッション確立要求（INVITEリクエスト）を受信した際に、アクセスゲートウェイＡＧＷとの間でセキュアトンネルを生成する。これによって、端末ＵＥに関する全ての通信トラヒックは、アクセスネットワークに生成されたこのセキュアトンネルを経由して通信される。セキュアトンネルは、１つのアクセスゲートウェイＡＧＷと多数のホームゲートウェイＨＧＷとの間で確立される。従って、ＱｏＳ保証の制御を実行するアクセスゲートウェイＡＧＷに負荷が集中するだけでなく、ＮＧＮコアネットワーク全体における設備コストが上昇する。
【０００７】
非特許文献１に記載された技術によれば、ＳＩＰセッションについて、フェムトセル（ホームゲートウェイ）同士が直接通信をすることによって、データパケットに関する経路最適化を実現する技術である。具体的には、フェムトセルが、ＳＩＰアプリケーションレベルゲートウェイ（SIP Application Level Gateway）として動作して、ＩＰアドレスとポート番号とを変換する（例えば非特許文献２参照）。
【０００８】
アプリケーションレベルゲートウェイは、アプリケーションに基づいてアクセスを制御するファイアウォールの技術である。アプリケーションレベルゲートウェイは、ＮＡＴ(Network Address Transform)機能におけるＩＰヘッダ中のＩＰアドレス及びポート番号の変換に加えて、ペイロードのＩＰアドレスやその他の情報も変換する。これによって、ホームネットワーク内の端末が、ＳＩＰを用いてセッション制御サーバへ接続することを可能にする。
【先行技術文献】
【非特許文献】
【０００９】
【非特許文献１】「フェムトセルを活用したメディアデータの経路最適化に関する一検討」、電子情報通信学会ソサイエティ大会2008, B-6-38
【非特許文献２】「IETF Internet Draft,draft-rosenberg-sip-firewalls-00.txt (expired)、“Getting SIP through Firewallsand NATs”、[online]、［平成２１年２月１９日検索］、インターネット＜http://www.jdrosen.net/papers/draft-rosenberg-sip-firewalls-00.txt＞
【発明の概要】
【発明が解決しようとする課題】
【００１０】
非特許文献１に記載の技術によれば、ホームネットワーク間の全てのトラフィックが、フェムトセル間で直接的に通信される。しかしながら、ＮＧＮコアネットワークにおけるＱｏＳ保証を実現するためには、当該トラフィックを、アクセスゲートウェイＡＧＷを経由させなければならない。従って、非特許文献１に記載の技術によれば、ＱｏＳ保証を実現することができない。
【００１１】
また、図１のシステムによれば、ホームゲートウェイＨＧＷが、他のホームゲートウェイＨＧＷにおけるアクセスネットワークの外部接続用ＩＰｖ４アドレスを知ることができない。そのために、非特許文献１に記載の技術を適用することもできない。
【００１２】
そこで、本発明は、ホームゲートウェイ及びセッション制御サーバによって異なる経路の複数のセッションを確立する方法及びシステムを提供することを目的とする。これによって、ＱｏＳ保証を必要とするメディア種別のトラヒックはアクセスゲートウェイＡＧＷを経由して通信させ、ＱｏＳ保証を必要としないメディア種別のトラヒックはホームゲートウェイＨＧＷ間で直接的に通信させる。
【課題を解決するための手段】
【００１３】
本発明によれば、コアネットワークに接続されたセッション制御サーバと、
コアネットワークとアクセスネットワークとの間に接続される１つ以上のアクセスゲートウェイと、
アクセスネットワークと第１のホームネットワークとの間に接続される第１のホームゲートウェイと、
第１のホームネットワークに接続される第１の端末と、
アクセスネットワークと第２のホームネットワークとの間に接続される第２のホームゲートウェイと、
第２のホームネットワークに接続される第２の端末と
を有し、
第１のホームゲートウェイ及び第２のホームゲートウェイが、アクセスネットワークを介して非コアネットワークを経由して相互接続されたシステムにおけるセッション確立方法であって、
第１のホームゲートウェイが、第１の端末から受信したセッション確立要求を、アクセスゲートウェイを介してセッション制御サーバへ送信する第１のステップと、
セッション制御サーバが、セッション確立要求におけるメディア種別に応じて、アクセスゲートウェイを介してコアネットワークを経由して接続する第１のセッションと、非コアネットワークを経由して接続する第２のセッションとを確立することを決定し、セッション確立要求を、アクセスゲートウェイを介して第２のホームゲートウェイへ送信する第２のステップと、
第２のホームゲートウェイが、セッション確立要求を第２の端末へ送信する第３のステップと、
第２のホームゲートウェイが、第２の端末から受信したセッション確立応答を、アクセスゲートウェイを介してセッション制御サーバへ送信する第４のステップと、
セッション制御サーバが、第１のセッションを確立すべきゲート制御要求を、アクセスゲートウェイへ送信し、該アクセスゲートウェイが経路制御テーブルを更新する第５のステップと、
セッション制御サーバが、第２のセッションを確立すべきゲート制御要求を、第２のホームゲートウェイへ送信し、第２のホームゲートウェイが経路制御テーブルを更新する第６のステップと、
セッション制御サーバが、第２のセッションを確立すべきゲート制御要求を、第１のホームゲートウェイへ送信する第７のステップと、
セッション制御サーバが、セッション確立応答を、アクセスゲートウェイを介して第１のホームゲートウェイへ送信する第８のステップと、
第１のホームゲートウェイが、第２のセッションについて経路制御テーブルを更新し、セッション確立応答を、第１の端末へ送信する第９のステップと
を有することを特徴とする。
【００１４】
本発明のセッション確立方法における他の実施形態によれば、
コアネットワークは、ＩＰｖ６ネットワークであり、
非コアネットワークは、ＩＰｖ４ネットワークであり、
第１のステップについて、
第１のホームゲートウェイが送信するセッション確立要求は、第１のアクセスゲートウェイから付与されたＩＰｖ６ネットワークプレフィクスと、第１のホームゲートウェイの外部インタフェースに付与されたＩＰｖ４アドレスとの論理和にからなるＩＰｖ６アドレスを、ＳＤＰ(Specification Description Protocol)のメディア部に含むことも好ましい。
【００１５】
本発明のセッション確立方法における他の実施形態によれば、
第１のステップについて、第１のホームゲートウェイが送信するセッション確立要求は、ＳＤＰに「情報交換」用のメディア部を追加して含んでおり、
第１のホームゲートウェイと第２のホームゲートウェイとの間に確立された「情報交換」用メディアのセッションを介して、第２のホームゲートウェイの外部インタフェースに付与されたアドレスを、第１のホームゲートウェイへ送信する第１０のステップを更に有することも好ましい。
【００１６】
本発明のセッション確立方法における他の実施形態によれば、
非コアネットワークを介して接続される第１のホームゲートウェイと第２のホームゲートウェイとの間の第２のセッションを、ＩＰｓｅｃによりセキュア化する第１１のステップを更に有することも好ましい。
【００１７】
本発明のセッション確立方法における他の実施形態によれば、
メディア種別は、セッションにおけるフロー種別、確立時刻、又は、発信元端末及び着信元端末のドメイン若しくは加入サービス種別であることも好ましい。
【００１８】
本発明によれば、
コアネットワークに接続されたセッション制御サーバと、
コアネットワークとアクセスネットワークとの間に接続される１つ以上のアクセスゲートウェイと、
アクセスネットワークと第１のホームネットワークとの間に接続される第１のホームゲートウェイと、
第１のホームネットワークに接続される第１の端末と、
アクセスネットワークと第２のホームネットワークとの間に接続される第２のホームゲートウェイと、
第２のホームネットワークに接続される第２の端末と
を有し、
第１のホームゲートウェイ及び第２のホームゲートウェイが、アクセスネットワークを介して非コアネットワークを経由して相互接続されたシステムであって、
セッション制御サーバは、
第１のホームゲートウェイから受信したセッション確立要求におけるメディア種別に応じて、アクセスゲートウェイを介してコアネットワークを経由して接続する第１のセッションと、非コアネットワークを経由して接続する第２のセッションとを確立することを決定する経路決定手段と、
第１のホームゲートウェイから受信したセッション確立要求を、アクセスゲートウェイを介して第２のホームゲートウェイへ送信し、第２のホームゲートウェイから受信したセッション確立応答を、アクセスゲートウェイを介して第１のホームゲートウェイへ送信するセッション制御手段と、
第１のセッションを確立すべきゲート制御要求を、アクセスゲートウェイへ送信し、第２のセッションを確立すべきゲート制御要求を、第２のホームゲートウェイ及び第１のホームゲートウェイへ送信するゲート制御手段と
を有し、
第１のホームゲートウェイは、
第１の端末から受信したセッション確立要求を、アクセスゲートウェイを介してセッション制御サーバへ送信するセッション確立要求送信手段と、
セッション制御サーバからアクセスゲートウェイを介してセッション確立応答を受信した際に、第２のセッションについて経路制御テーブルを更新し、セッション確立応答を第１の端末へ送信するセッション確立応答受信手段と
を有し、
第２のホームゲートウェイは、
セッション制御サーバからアクセスゲートウェイを介して受信したセッション確立要求を、第２の端末へ送信するセッション確立要求受信手段と、
第２の端末から受信したセッション確立応答を受信した際に、第２のセッションについて経路制御テーブルを更新し、セッション確立応答をアクセスゲートウェイを介してセッション制御サーバへ送信するセッション確立応答送信手段と
を有することを特徴とする。
【００１９】
本発明のシステムにおける他の実施形態によれば、
コアネットワークは、ＩＰｖ６ネットワークであり、
非コアネットワークは、ＩＰｖ４ネットワークであり、
第１のホームゲートウェイのセッション確立要求送信手段は、送信するセッション確立要求に、第１のアクセスゲートウェイから付与されたＩＰｖ６ネットワークプレフィクスと、第１のホームゲートウェイの外部インタフェースに付与されたＩＰｖ４アドレスとの論理和にからなるＩＰｖ６アドレスを、ＳＤＰのセッション全体部に含むことも好ましい。
【００２０】
本発明のシステムにおける他の実施形態によれば、
第１のホームゲートウェイのセッション確立要求送信手段は、第１のホームゲートウェイが送信するセッション確立要求に、ＳＤＰに「情報交換」用のメディア部を追加して含め、
第１のホームゲートウェイ及び第２のホームゲートウェイは、確立された「情報交換」用メディアのセッションを介して、外部インタフェースに付与されたアドレスを相互に交換するセキュアパス通信手段を更に有することも好ましい。
【００２１】
本発明のシステムにおける他の実施形態によれば、
セキュアパス通信手段は、非コアネットワークを介して接続される第１のホームゲートウェイとホームゲートウェイ２との間の第２のセッションを、ＩＰｓｅｃによりセキュア化することも好ましい。
【００２２】
本発明のシステムにおける他の実施形態によれば、
メディア種別は、セッションにおけるフロー種別、確立時刻、又は、発信元端末及び着信元端末のドメイン若しくは加入サービス種別であることも好ましい。
【発明の効果】
【００２３】
本発明のセッション確立方法及びシステムによれば、ＱｏＳ保証を必要とするメディア種別のトラヒックはアクセスゲートウェイＡＧＷを経由して通信させ、ＱｏＳ保証を必要としないメディア種別のトラヒックはホームゲートウェイＨＧＷ間で直接的に通信させることができる。
【図面の簡単な説明】
【００２４】
【図１】ホームネットワークとＮＧＮコアネットワークとが接続されたシステム構成図である。
【図２】本発明におけるシステム構成図である。
【図３】本発明における第１のシーケンス図である。
【図４】図３のＳ３０２におけるINVITEリクエストのＳＤＰの記述である。
【図５】図３のＳ３０６における200OKレスポンスのＳＤＰの記述である。
【図６】図３におけるホームゲートウェイ及びアクセスゲートの経路制御テーブルである。
【図７】本発明における第２のシーケンス図である。
【図８】図７のＳ７０２におけるINVITEリクエストのＳＤＰの記述である。
【図９】図７のＳ７０６における200OKレスポンスのＳＤＰの記述である。
【図１０】図７におけるホームゲートウェイ及びアクセスゲートの経路制御テーブルである。
【図１１】本発明におけるセッション制御サーバ及びホームゲートウェイの機能構成図である。
【発明を実施するための形態】
【００２５】
以下、本発明の実施の形態について、図面を用いて詳細に説明する。
【００２６】
図２は、本発明におけるシステム構成図である。
【００２７】
例えば、第１の端末ＵＥ１と第２の端末ＵＥ２との間で、テレビ電話（音声及び映像）で通信すると共に、写真のような画像ファイルを転送する場合を想定する。図２のシステムによれば、図１と比較して、ＱｏＳ保証を必要とするメディア種別のトラヒック（例えば音声又は映像）は、アクセスゲートウェイＡＧＷを経由して通信する。一方で、ＱｏＳ保証を必要としないメディア種別のトラヒック（例えばファイル転送）は、ホームゲートウェイＨＧＷ間で直接的に通信する。従って、第１の端末ＵＥ１と第２の端末ＵＥ２との間の通信トラヒックの全てが、ＮＧＮコアネットワークを経由しない。そのために、アクセスゲートウェイＡＧＷ及びＮＧＮコアネットワークに対するトラヒックの集中を減少させることができる。
【００２８】
第１のホームゲートウェイＨＧＷ１には、以下のように２つのアドレスが割り当てられている。
ＩＰｖ４アドレス                  ：[192.168.0.100]
ＩＰｖ６ネットワークプレフィックス：[1000:123:1000::/64]
また、第２のホームゲートウェイＨＧＷ２には、以下のように２つのアドレスが割り当てられている。
ＩＰｖ４アドレス                  ：[10.0.0.200]
ＩＰｖ６ネットワークプレフィックス：[2000:234:2000::/64]
尚、第１の端末ＵＥ１及び第２の端末ＵＥ２は、セッション制御サーバ１０に対して既にＳＩＰ登録を完了しているものとする。
【００２９】
図３は、本発明における第１のシーケンス図である。
【００３０】
（Ｓ３０１）第１の端末ＵＥ１は、ＳＩＰセッションを開始するために、セッション確立要求（INVITEリクエスト）を、第１のホームゲートウェイＨＧＷ１へ送信する。第１のホームゲートウェイＨＧＷ１は、外部ネットワークに対するＳＩＰプロキシとして動作する。
【００３１】
（Ｓ３０２）第１のホームゲートウェイＨＧＷ１は、INVITEリクエストを受信した際に、アプリケーションレベルゲートウェイ（ＡＬＧ）の処理を実行する。
【００３２】
図４は、Ｓ３０２のINVITEリクエストのＳＤＰ(Specification Description Protocol)の記述である。
【００３３】
図４によれば、第１のホームゲートウェイＨＧＷ１は、ＩＰｖ６ネットワークプレフィックスとＩＰｖ４アドレスとの論理和を、ＩＰｖ６アドレスとして使用する。
[1000: 123:1000::            0]
＋[              ::192.168.0.100]
＝[1000: 123:1000::      c0a8:64]
第１のホームゲートウェイＨＧＷ１は、論理和のＩＰｖ６アドレスを、ＳＤＰのセッション全体部に含める。そして、第１のホームゲートウェイＨＧＷ１は、INVITEリクエストを、第１のアクセスゲートウェイＡＧＷ１を介して、セッション制御サーバ１０へ送信する。
【００３４】
（Ｓ３０３）セッション制御サーバ１０は、INVITEリクエストを受信した際に、そのメディア種別に応じて、２つのセッションの確立を決定する。
（第１のセッション）第１のアクセスゲートウェイＡＧＷ１及び第２のアクセスゲートウェイＡＧＷ２の間でＩＰｖ６ネットワークを介して接続
（第２のセッション）第１のホームゲートウェイＨＧＷ１及び第２のホームゲートウェイＨＧＷ２の間でＩＰｖ４ネットワークを介して接続
【００３５】
メディア種別に応じたセッション種別は、ポリシテーブルに予め規定されている。例えば、音声・映像は第１のセッションに割り当てられており、ファイルは第２のセッションに割り当てられている。
【００３６】
そして、セッション制御サーバ１０は、INVITEリクエストを、第２のアクセスゲートウェイＡＧＷ２を介して第２のホームゲートウェイＨＧＷ２へ送信する。
【００３７】
（Ｓ３０４）第２のホームゲートウェイＨＧＷ２は、INVITEリクエストを受信した際に、アプリケーションレベルゲートウェイ（ＡＬＧ）の処理を実行する。そして、第２のホームゲートウェイＨＧＷ２は、INVITEリクエストを、第２のホームネットワークを介して第２の端末ＵＥ２へ送信する。
【００３８】
（Ｓ３０５）第２の端末は、INVITEリクエストを受信した際に、セッション確立応答(200OKレスポンス)を第２のホームゲートウェイＨＧＷ２へ返信する。
【００３９】
（Ｓ３０６）第２のホームゲートウェイＨＧＷ２は、200OKレスポンスを受信した際に、アプリケーションレベルゲートウェイの処理を実行する。
【００４０】
図５は、図３のＳ３０６における200OKレスポンスのＳＤＰの記述である。
【００４１】
図５によれば、第２のホームゲートウェイＨＧＷ２は、ＩＰｖ６ネットワークプレフィックスとＩＰｖ４アドレスとの論理和を、ＩＰｖ６アドレスとして使用する。
[2000: 234:2000::            0]
＋[              ::   10.0.0.200]
＝[2000: 234:2000::       a00:c8]
第２のホームゲートウェイＨＧＷ２は、論理和のＩＰｖ６アドレスを、ＳＤＰのセッション全体部に含める。そして、第２のホームゲートウェイＨＧＷ２は、200OKレスポンスを、第２のアクセスゲートウェイＡＧＷ２を介してセッション制御サーバ１０へ送信する。
【００４２】
（Ｓ３０７）セッション制御サーバ１０は、第２のアクセスゲートウェイＡＧＷ２へ、ゲート制御要求を送信する。ゲート制御要求には、以下の１つのセッションに対するゲート制御情報が記述される。
（第１のセッション）音声(audio)及び映像(video)について、第１のアクセスゲートウェイＡＧＷ１及び第２のアクセスゲートウェイＡＧＷ２の間でＩＰｖ６ネットワークを介して接続
【００４３】
また、ゲート制御要求は、第１のホームゲートウェイ３１及び第２のホームゲートウェイ３２のＩＰｖ６アドレスと、音声及び映像パケットを送受信するポート番号及びトランスポートプロトコルとを含む。
【００４４】
（Ｓ３０８）第２のアクセスゲートウェイＡＧＷ２は、ゲート制御要求を受信した際に、第１のセッションを確立するべく経路制御テーブルを更新する。その後、第２のアクセスゲートウェイＡＧＷ２は、ゲート制御応答を、セッション制御サーバ１０へ返信する。
【００４５】
図６は、図３におけるホームゲートウェイ及びアクセスゲートウェイの経路制御テーブルである。ここでは、第２のアクセスゲートウェイＡＧＷ２の経路制御テーブルは、例えば図６（ａ）のように設定される。
【００４６】
（Ｓ３０９）Ｓ３０７と同様に、セッション制御サーバ１０は、第１のアクセスゲートウェイＡＧＷ１へ、ゲート制御要求を送信する。
【００４７】
（Ｓ３１０）Ｓ３０８と同様に、第１のアクセスゲートウェイＡＧＷ１は、ゲート制御応答を、セッション制御サーバ１０へ返信する。ここでは、第１のアクセスゲートウェイＡＧＷ１の経路制御テーブルは、例えば図６（ｂ）のように設定される。
【００４８】
（Ｓ３１１）セッション制御サーバ１０は、第２のアクセスゲートウェイＡＧＷ２を介して第２のホームゲートウェイＨＧＷ２へ、ゲート制御要求を送信する。ゲート制御要求には、以下の２つのセッションに対するゲート制御情報が記述される。
（第１のセッション）音声(audio)及び映像(video)について、第１のアクセスゲートウェイＡＧＷ１及び第２のアクセスゲートウェイＡＧＷ２の間でＩＰｖ６ネットワークを介して接続
（第２のセッション）ファイル(message)について、第１のホームゲートウェイＨＧＷ１及び第２のホームゲートウェイＨＧＷ２の間でＩＰｖ４ネットワークを介して接続
【００４９】
また、ゲート制御要求は、第１のホームゲートウェイ３１及び第２のホームゲートウェイ３２のＩＰｖ６アドレスと、音声、映像及びファイルのパケットを送受信するポート番号及びトランスポートプロトコルとを含む。
【００５０】
（Ｓ３１２）第２のホームゲートウェイＨＧＷ２は、ゲート制御要求を受信した際に、Ｓ３０３で受信したINVITEリクエストのＳＤＰに記述されるＩＰｖ６アドレスを分析する。ＩＰｖ６アドレス[1000:123:1000::c0a8:64]の下位３２ビットを取り出す。取り出されたアドレス[192.168.0.100]は、第１のホームゲートウェイＨＧＷ１のＩＰｖ４アドレスであると認識する。そして、第２のホームゲートウェイＨＧＷ２は、第１のセッション及び第２のセッションを確立するべく経路制御テーブルを更新する。その後、第２のホームゲートウェイＨＧＷ２は、ゲート制御応答を、セッション制御サーバ１０へ返信する。ここで、第２のホームゲートウェイＨＧＷ２の経路制御テーブルは、例えば図６（ｃ）のように設定される。
【００５１】
（Ｓ３１３）Ｓ３１１と同様に、セッション制御サーバ１０は、第１のアクセスゲートウェイＡＧＷ１を介して第１のホームゲートウェイＨＧＷ１へ、ゲート制御要求を送信する。
【００５２】
（Ｓ３１４）Ｓ３１２と同様に、第１のホームゲートウェイＨＧＷ１は、第１のアクセスゲートウェイＡＧＷ１を介して、ゲート制御応答を、セッション制御サーバ１０へ返信する。
【００５３】
（Ｓ３１５）セッション制御サーバ１０は、第１のアクセスゲートウェイＡＧＷ１を介して第１のホームゲートウェイＨＧＷ１へ、200OKレスポンスを送信する。ここで、第１のホームゲートウェイＨＧＷ１は、200OKレスポンスのＳＤＰに記述されるＩＰｖ６アドレス[2000:234:2000::a00:c8]の下位32ビットを取り出す。取り出されたアドレス[10.0.0.200]は、第２のホームゲートウェイＨＧＷ２のＩＰｖ４アドレスであると認識する。ここで、第１のホームゲートウェイＨＧＷ１の経路制御テーブルは、例えば図６（ｄ）のように設定される。
【００５４】
（Ｓ３１６）第１のホームゲートウェイＨＧＷ１は、200OKレスポンスを受信した際に、アプリケーションレベルゲートウェイ処理を実行した後、第１の端末ＵＥ１へ、200OKレスポンスを送信する。
【００５５】
Ｓ３０１〜Ｓ３１６によって、ＱｏＳ保証を必要とする音声(audio)及び映像(video)については、第１のセッションが選択され、ＱｏＳ保証を必要としないファイル(message)については、第２のセッションが選択される。
【００５６】
（Ｓ３１７）その後、第１の端末ＵＥ１及び第２の端末ＵＥ２は、音声及び映像のデータパケットを、ＩＰｖ６ネットワークを介して通信し、ファイルのデータパケットを、ＩＰｖ４ネットワークを介して通信する。尚、ホームゲートウェイＨＧＷとアクセスゲートウェイＡＧＷとの間のアクセスネットワークでは、セキュアトンネルが構築されている。
【００５７】
図３の第１のシーケンスによれば、ホームゲートウェイＨＧＷのＩＰｖ４アドレスをＩＰｖ６ネットワークプレフィックスに組み込むことによって、ホームゲートウェイＨＧＷ同士が相互にＩＰｖ４アドレスを知ることができる。しかしながら、実際にホームゲートウェイ同士の間で直接的に通信するか否か決定していないにも関わらず、ＩＰｖ４アドレスを組み込むことは、セキュリティの観点から好ましくない。
【００５８】
また、図３の第１のシーケンスによれば、ホームゲートウェイＨＧＷとアクセスゲートウェイＡＧＷとの間はＩＰｓｅｃによってセキュアトンネルが構成されている。しかしながら、ホームゲートウェイＨＧＷ同士の間は、非セキュアであって、セキュリティの観点から好ましくない。
【００５９】
これらの課題を解決するべく、第２のシーケンスについて説明する。
【００６０】
図７は、本発明における第２のシーケンス図である。以下では、図７について、図３と相違するシーケンスのみについて説明する。
【００６１】
（Ｓ７０２）第１のホームゲートウェイＨＧＷ１は、INVITEリクエストを受信した際に、アプリケーションレベルゲートウェイの処理を実行する。
【００６２】
図８は、図７のＳ７０２におけるINVITEリクエストのＳＤＰの記述である。
【００６３】
図８によれば、第１のホームゲートウェイＨＧＷ１は、ＩＰｖ６ネットワークプレフィックスと、任意の識別用の６４ビットとの論理和[1000:123:1000::abcd]を、ＩＰｖ６アドレスとして使用する。第１のホームゲートウェイＨＧＷ１は、論理和のＩＰｖ６アドレスを、ＳＤＰのセッション全体部に含める。図８によれば、情報交換用(application)のメディア部が更に追記される。そして、第１のホームゲートウェイＨＧＷ１は、INVITEリクエストを、第１のアクセスゲートウェイＡＧＷ１を介して、セッション制御サーバ１０へ送信する。
【００６４】
（Ｓ７０４）第２のホームゲートウェイＨＧＷ２は、INVITEリクエストを受信した際に、アプリケーションレベルゲートウェイの処理を実行する。そして、第２のホームゲートウェイＨＧＷ２は、INVITEリクエストのＳＤＰから情報交換用のメディア部を削除する。そして、第２のホームゲートウェイＨＧＷ２は、そのINVITEリクエストを、第２のホームネットワークを介して第２の端末ＵＥ２へ送信する。
【００６５】
（Ｓ７０６）第２のホームゲートウェイＨＧＷ２は、200OKレスポンスを受信した際に、アプリケーションレベルゲートウェイの処理を実行する。
【００６６】
図９は、図７のＳ７０６における200OKレスポンスのＳＤＰの記述である。
【００６７】
図９によれば、第２のホームゲートウェイＨＧＷ２は、ＩＰｖ６ネットワークプレフィックスと、任意の識別用の６４ビットとの論理和[2000:234:2000::1234]を、ＩＰｖ６アドレスとして使用する。第２のホームゲートウェイＨＧＷ２は、論理和のＩＰｖ６アドレスを、ＳＤＰのセッション全体部に含める。図９によれば、情報交換用(application)のメディア部が更に追記される。そして、第２のホームゲートウェイＨＧＷ２は、200OKレスポンスを、第２のアクセスゲートウェイＡＧＷ２を介して、セッション制御サーバ１０へ送信する。
【００６８】
（Ｓ７０７）セッション制御サーバ１０は、第２のアクセスゲートウェイＡＧＷ２へ、ゲート制御要求を送信する。ゲート制御要求には、第１のセッションに対するゲート制御情報が記述される。ここで、図３（Ｓ３０７）と比較して、第１のセッションには、音声(audio)及び映像(video)だけでなく、情報交換(application)も含まれる。
【００６９】
（Ｓ７０８）第２のアクセスゲートウェイＡＧＷ２は、ゲート制御要求を受信した後、ゲート制御応答を、セッション制御サーバ１０へ返信する。
【００７０】
図１０は、図７におけるホームゲートウェイ及びアクセスゲートウェイの経路制御テーブルである。ここでは、第２のアクセスゲートウェイＡＧＷ２の経路制御テーブルは、例えば図１０（ａ）のように設定される。
【００７１】
（Ｓ７１０）Ｓ７０８と同様に、第１のアクセスゲートウェイＡＧＷ１は、ゲート制御応答を、セッション制御サーバ１０へ返信する。ここでは、第１のアクセスゲートウェイＡＧＷ１の経路制御テーブルは、例えば図１０（ｂ）のように設定される。
【００７２】
（Ｓ７１１）セッション制御サーバ１０は、第２のアクセスゲートウェイＡＧＷ２を介して第２のホームゲートウェイＨＧＷ２へ、ゲート制御要求を送信する。ゲート制御要求には、図３（Ｓ３１１）と比較して、第１のセッションには、音声(audio)及び映像(video)だけでなく、情報交換(application)も含まれる。
【００７３】
（Ｓ７１２）第２のホームゲートウェイＨＧＷ２は、ゲート制御要求を受信した後、ゲート制御応答を、第２のアクセスゲートウェイＡＧＷ２を介してセッション制御サーバ１０へ返信する。ここでは、第２のホームゲートウェイＨＧＷ２の経路制御テーブルは、例えば図１０（ｃ）のように設定される。尚、Ｓ３１２（図３）と異なって、Ｓ７１２の段階では、第２のホームゲートウェイＨＧＷ２は、第１のホームゲートウェイＨＧＷ１のＩＰｖ４アドレスを知らない。
【００７４】
（Ｓ７１３）Ｓ７１１と同様に、セッション制御サーバ１０は、第１のアクセスゲートウェイＡＧＷ１を介して第１のホームゲートウェイＨＧＷ１へ、ゲート制御要求を送信する。
【００７５】
（Ｓ７１４）Ｓ７１２と同様に、第１のホームゲートウェイＨＧＷ１は、ゲート制御要求を受信した後、ゲート制御応答を、第１のアクセスゲートウェイＡＧＷ１を介してセッション制御サーバ１０へ返信する。尚、Ｓ３１４（図３）と異なって、Ｓ７１４の段階では、第１のホームゲートウェイＨＧＷ１は、第２のホームゲートウェイＨＧＷ２のＩＰｖ４アドレスを知らない。
【００７６】
（Ｓ７１５）セッション制御サーバ１０は、第１のアクセスゲートウェイＡＧＷ１を介して第１のホームゲートウェイＨＧＷ１へ、200OKレスポンスを送信する。ここでは、第１のホームゲートウェイＨＧＷ１の経路制御テーブルは、例えば図１０（ｄ）のように設定される。
【００７７】
（Ｓ７１６）第１のホームゲートウェイＨＧＷ１は、自らのＩＰｖ４アドレス[192.168.0.100]とＤＨ(Diffie-Hellman)情報を、第１のアクセスゲートウェイＡＧＷ１及び第２のアクセスゲートウェイＡＧＷ２を介して、第２のホームゲートウェイＨＧＷ２へ送信する。これによって、第２のホームゲートウェイＨＧＷ２は、第１のホームゲートウェイＨＧＷ１のＩＰｖ４アドレスを知る。
【００７８】
これに対し、第２のホームゲートウェイＨＧＷ２は、自らのＩＰｖ４アドレス[10.0.0.200]とＤＨ(Diffie-Hellman)情報を、第１のアクセスゲートウェイＡＧＷ１及び第２のアクセスゲートウェイＡＧＷ２を介して、第１のホームゲートウェイＨＧＷ１へ送信する。これによって、第１のホームゲートウェイＨＧＷ１は、第２のホームゲートウェイＨＧＷ２のＩＰｖ４アドレスを知る。尚、ＤＨ情報によって共通鍵が取得される。
【００７９】
（Ｓ７１７）第１のホームゲートウェイＨＧＷ１と第２のホームゲートウェイＨＧＷ２との間では、ＩＫＥｖ２を用いて、ＩＰｓｅｃによるセキュアなパスが構築される。ＩＫＥｖ２が必要とする相互認証情報として、Ｓ７１６で生成された共有鍵が用いられる。
【００８０】
（Ｓ７１８）第１のホームゲートウェイＨＧＷ１は、第１の端末ＵＥ１へ、200OKレスポンスを送信する。
【００８１】
（Ｓ７１９）その後、第１の端末ＵＥ１及び第２の端末ＵＥ２は、音声及び映像のデータパケットを、ＩＰｖ６ネットワークを介して通信し、ファイルのデータパケットを、ＩＰｖ４ネットワークを介して通信する。尚、第１のホームゲートウェイＨＧＷ１と第２のホームゲートウェイＨＧＷ２との間のアクセスネットワークでは、セキュアトンネルが構築されている。
【００８２】
図１１は、本発明におけるセッション制御サーバ及びホームゲートウェイの機能構成図である。
【００８３】
セッション制御サーバ１０は、コアネットワークに接続され、セッション制御部１０１と、経路決定部１０２と、ゲート制御部１０３とを有する。これら機能構成部は、セッション制御サーバに搭載されたコンピュータを機能させるプログラムを実行することによって実現される。
【００８４】
セッション制御部１０１は、第１のホームゲートウェイＨＧＷ１から受信したセッション確立要求を、第２のアクセスゲートウェイＡＧＷ２を介して第２のホームゲートウェイＨＧＷ２へ送信する。また、第２のホームゲートウェイＨＧＷ２から受信したセッション確立応答を、第１のアクセスゲートウェイＡＧＷ１を介して第１のホームゲートウェイＨＧＷ１へ送信する。
【００８５】
経路決定部１０２は、要求されたセッションに対して、そのメディア種別に応じて、以下の２つのセッションを確立することを決定する。
（第１のセッション）第１のアクセスゲートウェイＡＧＷ１及び第２のアクセスゲートウェイＡＧＷ２の間でＩＰｖ６ネットワークを介して接続
（第２のセッション）第１のホームゲートウェイＨＧＷ１及び第２のホームゲートウェイＨＧＷ２の間でＩＰｖ４ネットワークを介して接続
【００８６】
メディア種別は、セッションにおけるフロー種別、確立時刻、又は、発信元端末及び着信元端末のドメイン若しくは加入サービス種別であることも好ましい。例えば確立時刻に応じて、ＩＰｖ４ネットワークを介して接続する第２のセッションを選択することもできる。
【００８７】
ゲート制御部１０３は、第１のセッションを確立すべきゲート制御要求を、第１のアクセスゲートウェイＡＧＷ１及び第２のアクセスゲートウェイＡＧＷ２の両方へ送信する。また、第１のセッション及び第２のセッションを確立すべきゲート制御要求を、第１のホームゲートウェイＨＧＷ１及び第２のホームゲートウェイＨＧＷ２の両方へ送信する。
【００８８】
ホームゲートウェイ３は、ホームネットワークとアクセスネットワークとの間に接続され、メディアデータ中継転送部３０１と、セキュアパス通信部３０２と、経路制御テーブル３０３と、ゲート要求制御部３０４と、セッション制御部（セッション確立要求送信部３０５、セッション確立要求受信部３０６、セッション確立応答受信部３０７、セッション確立応答送信部３０８）と、アプリケーションレベルゲートウェイ処理部３０９とを有する。インタフェース部を除くこれら機能構成部は、ホームゲートウェイ３に搭載されたコンピュータを機能させるプログラムを実行することによって実現される。
【００８９】
メディアデータ中継転送部３０１は、経路制御テーブル３０３に応じて、メディアデータを、第１のセッション又は第２のセッションのいずれかへ転送する。
【００９０】
セッション確立要求送信部３０５は、第１の端末ＵＥ１から受信したセッション確立要求を、第１のアクセスゲートウェイを介してセッション制御サーバ１０へ送信する。ここで、セッション確立要求送信部３０５は、ＩＰｖ４アドレスを相手方ホームゲートウェイへ通知するために、２つの方法を有する。第１の方法は、送信するセッション確立要求に、第１のアクセスゲートウェイから付与されたＩＰｖ６ネットワークプレフィクスと、第１のホームゲートウェイの外部インタフェースに付与されたＩＰｖ４アドレスとの論理和からなるＩＰｖ６アドレスを、ＳＤＰのセッション全体部に含む。また、第２の方法は、第１のホームゲートウェイが送信するセッション確立要求に、ＳＤＰに「情報交換」用のメディア部を追加して含める。これによって、生成される情報交換用のパスを通して、ＩＰｖ４アドレスを通知する。
【００９１】
セッション確立応答受信部３０７は、セッション制御サーバ１０から第１のアクセスゲートウェイＡＧＷ１を介してセッション確立応答を受信した際に、第１のセッション及び第２のセッションについて経路制御テーブル３０３を更新し、セッション確立応答を第１の端末ＵＥ１へ送信する。
【００９２】
セッション確立要求受信部３０６は、セッション制御サーバ１０から第２のアクセスゲートウェイＡＧＷ２を介して受信したセッション確立要求を、第２の端末ＵＥ２へ送信する。
【００９３】
セッション確立応答送信部３０８は、第２の端末ＵＥ２から受信したセッション確立応答を受信した際に、第１のセッション及び第２のセッションについて経路制御テーブル３０３を更新し、セッション確立応答を第２のアクセスゲートウェイＡＧＷ２を介してセッション制御サーバ１０へ送信する。
【００９４】
セキュアパス通信部３０２は、第１のホームゲートウェイ及び第２のホームゲートウェイは、確立された「情報交換」用メディアのセッションを介して、外部インタフェースに付与されたＩＰｖ４アドレスを相互に交換する。また、セキュアパス通信部３０２は、非コアネットワークを介して接続される第１のホームゲートウェイとホームゲートウェイ２との間の第２のセッションを、ＩＰｓｅｃによりセキュア化する。
【００９５】
以上、詳細に説明したように、本発明のセッション確立方法及びシステムによれば、ＱｏＳ保証を必要とするメディア種別のトラヒックはアクセスゲートウェイＡＧＷを経由して通信させ、ＱｏＳ保証を必要としないメディア種別のトラヒックはホームゲートウェイＨＧＷ間で直接的に通信させることができる。
【００９６】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００９７】
１０  セッション制御サーバ
１０１  セッション制御部
１０２  経路決定部
１０３  ゲート制御部
２１  第１のアクセスゲートウェイ
２２  第２のアクセスゲートウェイ
３１  第１のホームゲートウェイ
３２  第２のホームゲートウェイ
３０１  メディアデータ中継転送部
３０２  セキュアパス通信部
３０３  経路制御テーブル
３０４  ゲート要求制御部
３０５  セッション確立要求送信部
３０６  セッション確立要求受信部
３０７  セッション確立応答受信部
３０８  セッション確立応答部
３０９  アプリケーションレベルゲートウェイ処理部
４１  第１の端末
４２  第２の端末
【図１】
2010200068.tif 000003
【図２】
2010200068.tif 000004
【図３】
2010200068.tif 000005
【図４】
2010200068.tif 000006
【図５】
2010200068.tif 000007
【図６】
2010200068.tif 000008
【図７】
2010200068.tif 000009
【図８】
2010200068.tif 000010
【図９】
2010200068.tif 000011
【図１０】
2010200068.tif 000012
【図１１】
2010200068.tif 000013